(57)【要約】【課題】従来では照度検出センサが、表示セルに入射する光そのものに関係なく、直接に周囲の照度を検出するものであるために、表示セルに入射する光量自体を正確に検出することができなかった。【解決手段】本発明は、少なくとも一方の基板がカラーフィルタを有しさらに少なくとも一方の基板が透明基板である一対の基板間に電気光学変換部材を封止してなる表示セル有する表示装置において、少なくとも一方の前記透明基板の面部に照度検出センサの受光部を対向して配置し、前記照度検出センサの近傍に光の波長選択手段を配置したことを特徴とする。さらに、前記波長選択手段は、前記カラーフィルタと同一部材よりなることを特徴とする。【選択図】    図３
2005070132.tif 000002
【特許請求の範囲】
【請求項１】
少なくとも一方の基板がカラーフィルタを有しさらに少なくとも一方の基板が透明基板である一対の基板間に電気光学変換部材を封止してなる表示セル有する表示装置において、
少なくとも一方の前記透明基板の面部に照度検出センサの受光部を対向して配置し、前記照度検出センサの近傍に光の波長選択手段を配置したことを特徴とする表示装置。
【請求項２】
前記波長選択手段は、前記カラーフィルタと同一部材よりなることを特徴とする請求項１記載の表示装置。
【請求項３】
前記面部は前記透明基板の側面であり、前記照度検出センサと前記側面との間に前記波長選択手段を配設することを特徴とする請求項１または２に記載の表示装置。
【請求項４】
前記面部は前記透明基板の平面部であり、前記照度検出センサと前記平面部との間に前記波長選択手段を配設することを特徴とする請求項１または２記載の表示装置。
【請求項５】
視認側と反対側に位置する前記基板には反射機能を有する部材が配設されていることを特徴とする請求項１乃至４のいずれか一に記載の表示装置。
【請求項６】
少なくとも一方の基板が透明基板である一対の透明基板間に電気光学変換部材をシール材で封止した構成を有する表示セルを用いた表示装置であって、
少なくとも一方の透明基板に入射して当該透明基板内を伝播した外光を分光して単色光とする検出用カラーフィルタとこの単色光を検出する照度検出センサを有することを特徴とする表示装置。
【請求項７】
前記表示セルには赤色、緑色、青色の表示用のカラーフィルタが配設されており、前記検出用カラーフィルタが、少なくとも表示用の前記カラーフィルタのいずれかの一つと同じ部材であることを特徴とする請求項６に記載の表示装置。
【請求項８】
少なくとも一方の基板が透明基板である一対の透明基板間に電気光学変換部材をシール材で封止した表示セルを有し、前記表示セルに背面側に配設されたバックライトを有し、前記バックライトのの輝度を制御するバックライト輝度制御手段を有する表示装置であって、
少なくとも一方の透明基板に入射して当該透明基板内を伝播した外光を分光して赤色、緑色、青色の単色光を得る波長選択手段と、これらの単色光をそれぞれに独立に検出するための照度検出センサと、これらの照度検出センサで検出した受光量に基づいて前記バックライトの輝度を制御する前記バックライト輝度制御手段を有することを特徴とする表示装置。
【請求項９】
前記バックライトは、赤色、緑色、青色の発光ダイオード（ＬＥＤ）を有する光源部と前記光源部の側方に配置される導光部材よりなることを特徴する請求項８に記載の表示装置。
【請求項１０】
それぞれに独立した前記照度検出センサと前記バックライト輝度制御手段とをＩＣチップに一体化形成し、このＩＣチップを少なくとも一方の前記透明基板の面部に配置し、さらに前記照度検出センサの受光部に前記波長選択手段を対向配置したことを特徴とする請求項８又は９に記載の表示装置。
【請求項１１】
赤色、緑色、青色の検出用カラーフィルタよりなる前記波長選択手段は、前記表示セルの赤色、緑色、青色のカラーフィルタのそれぞれと同じ部材よりなることを特徴とする請求項８または９または１０に記載の表示装置。
【請求項１２】
一対の六面形状をなす基板間に電気光学変換部材を封止してなる表示セル有する表示装置において、
前記透明基板の面部に照度検出センサが配設され、前記照度検出センサの近傍であり前記透明基板の面部と直交する他の面部に光の波長選択手段を配置したことを特徴とする表示装置。
【発明の詳細な説明】
【０００１】
【発明の属する技術分野】
本発明は、携帯電話、カーナビゲーション、コンピュータの表示装置等の機器の動作状態や、これらの機器からの情報を表示するための表示装置に関するものである。
【０００２】
【従来の技術】
従来の前記表示装置としては、電気光学変換部材としてＥＬ（エレクトロクレミネッセンス）や液晶が用いられており、これらを本発明を用いれば、本発明の効果が本発明の実施例と同様に得られる。
そこで、以下の説明に於いては、間隙を設けて対向した２枚の基板の間に液晶材をシール材を用いて封止した構成を有る液晶装置を用いる。液晶表示装置（液晶ユニット）としては、図１８に示すように液晶セル７０を保持した液晶フレーム７１に照度検出センサ７２を配置した構成のものがある。そして、この表示装置（液晶ユニット）においては、照度検出センサ７２は、直接に周囲の照度を検出し、この照度に応じて白色半導体発光装置７３への供給電力を調整するようにしている（特許文献１参照）。
【０００３】
【特許文献１】
特開２００３−２１８２１号公報。
【０００４】
また、バックライトを、例えば、赤色、緑色、青色のＬＥＤからなる光源部と、これらの光源部を端部に有する導光部材とで構成することもできる。
【０００５】
【発明が解決しようとする課題】
しかしながら、特許文献１の従来の液晶表示装置（液晶ユニット）にあっては、照度検出センサ７２は、液晶セル７０側に配置してあり、液晶セル７０に入射する光そのものに関係なく、直接に周囲の照度を検出するものであるために、液晶セル７０に入射する光量自体を正確に計ることができないという問題点があった。
【０００６】
また、照度検出センサで可視光の照度を計る場合には、光の中の赤外線の成分の感度が高いために、暗くても赤外線が強いと間違った照度を計ることがある。このために、特別に可視光のみを透過させる検出用カラーフィルタを作成して、この特別仕様の検出用カラーフィルタを用いて、可視光のみを透過させるようにしており、特別仕様の検出用カラーフィルタではコストの面で割高になるという問題点があった。
【０００７】
また、バックライトを、例えば、赤色、緑色、青色のＬＥＤからなる光源部と、これらの光源部を端部に有する導光部材とで構成し、これらの赤色、緑色、青色のＬＥＤを制御回路で制御する場合、バックライトの各色ごとにＬＥＤの順方向電圧（この電圧によりＬＥＤの発光光量が左右される）がばらつき、バックライトが発する照明光の色味が変化し、ホワイトバランスを調整するのは困難であり、調整できても温度、経時変化で変わるという問題点があった。
【０００８】
本発明は、上記の問題点に着目して成されたものであって、その第１の目的とするところは、照度検出センサが、液晶セルに入射する光量を正確に検出することができるばかりか、可視光の照度を確実に計ることができる表示装置を提供することである。
【０００９】
また、本発明の第２の目的とするところは、常に、フルカラー画像のホワイトバランスが適正に維持され、それに伴って画像品質が適正に維持される表示装置を提供することである。
【００１０】
【課題を解決するための手段】
上記課題を解決するために本発明は、少なくとも一方の基板がカラーフィルタを有しさらに少なくとも一方の基板が透明基板である一対の基板間に電気光学変換部材を封止してなる表示セル有する表示装置において、少なくとも一方の前記透明基板の面部に照度検出センサの受光部を対向して配置し、前記照度検出センサの近傍に光の波長選択手段を配置したことを特徴とする。
さらに、前記波長選択手段は、前記カラーフィルタと同一部材よりなることを特徴とする。
さらに、前記面部は前記透明基板の側面であり、前記照度検出センサと前記側面との間に前記波長選択手段を配設することを特徴とする。
さらに、前記面部は前記透明基板の平面部であり、前記照度検出センサと前記平面部との間に前記波長選択手段を配設することを特徴とする。
さらに、視認側と反対側に位置する前記基板には反射機能を有する部材が配設されていることを特徴とする。
【００１１】
また、少なくとも一方の基板が透明基板である一対の透明基板間に電気光学変換部材をシール材で封止した構成を有する表示セルを用いた表示装置であって、少なくとも一方の透明基板に入射して当該透明基板内を伝播した外光を分光して単色光とする検出用カラーフィルタとこの単色光を検出する照度検出センサを有することを特徴とする。
さらに、前記表示セルには赤色、緑色、青色の表示用のカラーフィルタが配設されており、前記検出用カラーフィルタが、少なくとも表示用の前記カラーフィルタのいずれかの一つと同じ部材であることを特徴とする。
【００１２】
また、少なくとも一方の基板が透明基板である一対の透明基板間に電気光学変換部材をシール材で封止した表示セルを有し、前記表示セルに背面側に配設されたバックライトを有し、前記バックライトのの輝度を制御するバックライト輝度制御手段を有する表示装置であって、少なくとも一方の透明基板に入射して当該透明基板内を伝播した外光を分光して赤色、緑色、青色の単色光を得る波長選択手段と、これらの単色光をそれぞれに独立に検出するための照度検出センサと、これらの照度検出センサで検出した受光量に基づいて前記バックライトの輝度を制御する前記バックライト輝度制御手段を有することを特徴とする。
さらに、前記バックライトは、赤色、緑色、青色の発光ダイオード（ＬＥＤ）を有する光源部と前記光源部の側方に配置される導光部材よりなることを特徴する。
それぞれに独立した前記照度検出センサと前記バックライト輝度制御手段とをＩＣチップに一体化形成し、このＩＣチップを少なくとも一方の前記透明基板の面部に配置し、さらに前記照度検出センサの受光部に前記波長選択手段を対向配置したことを特徴とする。
さらに、赤色、緑色、青色の検出用カラーフィルタよりなる前記波長選択手段は、前記表示セルの赤色、緑色、青色のカラーフィルタのそれぞれと同じ部材よりなることを特徴とする。
【００１３】
また、一対の六面形状をなす基板間に電気光学変換部材を封止してなる表示セル有する表示装置において、前記透明基板の面部に照度検出センサが配設され、前記照度検出センサの近傍であり前記透明基板の面部と直交する他の面部に光の波長選択手段を配置したことを特徴とする。
【００１４】
【作用】
表示セルの前方から入射した外光が、少なくとも一方の透明基板の内部を反射を繰り返しながら伝播し、この透明基板より出射した外光を照度検出センサが受光するようになるために、表示セルに入射する光量と透明基板の内部を伝播する光量が略比例することから、表示セルに入射する光量を正確に検出することができる。また、検出用カラーフィルタで赤外線をカットし、単色光（例えば、緑色光）を検出することで、可視光の照度に比例した検出信号を正確に計ることができるし、しかも、安価にすることができる。
【００１５】
可視光のみを透過させる特別なフィルタを使用することなく、カラーフィルタと同じ構成の検出用カラーフィルタを使用するために、表示装置のコストを低減させることができる。
【００１６】
照明光のホワイトバランスが変動すると、各画素における光量バランス（光量の比率）も変動するが、その変動は、バックライト輝度制御手段によって照度検知センサの検知結果を比較することにより検出され、液晶セルの駆動信号を制御することによって補償される。これにより、フルカラー画像のホワイトバランスは適正な状態に維持される。
【００１７】
例えば、バックライト輝度制御手段の一例である光源駆動制御装置により赤色、緑色及び青色の発光ダイオードＬＥＤへ過電流の印加を防ぎながら発光ダイオードＬＥＤの定格内で駆動できるために信頼性が向上する。
【００１８】
バックライト輝度制御手段の一例である光源駆動制御装置は、赤色、緑色及び青色の発光ダイオードＬＥＤごとに点灯させ、これらの赤色、緑色及び青色の発光ダイオードＬＥＤの色味が変わらないようにリアルタイムで制御することができる。このために、照明光のホワイトバランスの調整が行われて、常に、フルカラー画像のホワイトバランスは適正に維持され、それに伴つて画像品質が適正に維持されるようになる。
【００１９】
照度検出センサによる受光とバックライト輝度制御手段による制御とが液晶セル内で完結するために正確な制御ができるし、また、小型化が可能になる。
【００２０】
可視光のみを透過させる特別なフィルタを使用することなく、カラーフィルタと同じ構成の検出用カラーフィルタを使用するために、表示装置のコストを低減させることができる。
【００２１】
液晶セルの前方から入射した外光を、赤色、緑色、青色の検出用カラーフィルタで分光して、赤色、緑色、青色の単色光とし、これらの単色光を照度検出センサの受光部に入射させて、それぞれの照度検出センサは、外光のうちの赤色光、緑色光、青色光を検出して、これらの受光量に相当する検出信号を出力するために、簡単な構成でありながら、確実に、周囲の色味を測定することができる。
【００２２】
【発明の実施の形態】
以下、本発明の実施の形態を図面に基づいて説明する。
【００２３】
（第１の実施の形態）
本発明に係る表示装置における第１の実施の形態を図１乃至図３に示す。
【００２４】
本発明の表示装置は、画像表示部としての液晶セル１と、この液晶セル１の背後に配置されたバックライト２と、液晶セル１の液晶層１１を駆動するための駆動回路３と、バックライト２の輝度を制御するためのバックライト輝度制御手段であるバックライト制御装置４とを備えている。
【００２５】
図３において、液晶セル１は、枠状のシール材１１ａを介して互いに接合された前面側すなわち看視者が視認する視認側及び背面側の一対の六面円形状をなす透明基板５、６を有しており、これらの透明基板５、６の内面には、それぞれ互いに対向する領域により複数の画素領域を形成する透明な電極７、８が設けてある。背面側の透明基板６は、前面側の透明基板５より延出して、その長手方向の長さ寸法を大きくしてある。この背面側の透明基板６の、前面側の透明基板５の端辺より延出してはみ出した端側部分が部品搭載部６Ａに成されている。
枠状のシール材１１ａ内には電気光学変換部材である液晶が封止されている。
【００２６】
そして、背面側の透明基板６の内面には、反射層或いは散乱反射層９とカラーフィルタ１０とが搭載してあり、一対の透明基板５、６間のシール材１１ａで囲まれた領域に液晶層１１が設けてある。カラーフィルタ１０は、複数の画素領域にそれぞれ対応させて、例えば赤、緑、青の三色のカラーフィルタであり、上記した電極８は、カラーフィルタ１０の上に形成してある。
また、視認側と反対側に位置する前記基板である背面側の透明基板６の外面側に反射部材を配設すると、背面側の透明基板６のなかを光が伝搬すると共に、前面側の透明基板にも反射光を戻すため、照度検出センサである受光素子１２の光検出量が多くなり、光検出感度が向上し検出信号の信頼性が向上する。このとき、アルミ材やクロムクロム材よりなる前記反射部材の他に、基板の材料との屈折率の差が大きい部材（例えば、空気）を反射部材に相当するものとして配設して反射機能を得ても良い。
【００２７】
図３の構成のごとく、反射層９の下方にバックライト２を有する表示装置の場合には、反射層９として反射層に穴を明けた半透過反射性の反射層或いは誘電体多層膜を用いる半透過反射性の反射層とする必要がある。バックライト２を用いない場合は、反射層そのもので良い。
すなわち、本発明は、透過型、半透過型、透過型の表示装置に用いることができ、本発明の効果が得られる。
【００２８】
なお、この液晶セル（例えば、パッシブのマトリックス液晶セル）１においては、背面側の透明基板６の内面に設けられた電極８は、行方向に沿わせて互に平行に形成された複数本の走査電極であり、視認者側であり、視認側である前面側の透明基板５の内面に設けられた電極７は、列方向に沿わせて互いに平行に形成された複数本の信号電極である。そして、前面側の透明基板５の外面には前面側の偏光板２３が配置してあり、背面側の透明基板６の外面には背面側の偏光板２４が配置してある。本発明の第１の実施の形態では、Ｘ−Ｙマトリックスのパッシブ液晶表示装置を示したが、アクティブ液晶表示装置及び発光型表示装置としても良い。
【００２９】
そして、図３に示すように前面側（視認側）の透明基板５の端面部５ａには検出窓部１５が設けてあり、この検出窓部１５には緑色の波長選択手段である検出用カラーフィルタ１６が取付けてある。この緑色の検出用カラーフィルタ１６は、カラーフィルタ１０における緑色のカラーフィルタと同じ部材が用いられていて、可視光のみを透過するものである。
照度検出センサの近傍である視認側の基板のである前面側の透明基板５の側部には光の波長選択手段である検出用カラーフィルタ１６が配置されている。
このとき、図３の説明では、背面側の基板６と前面側の基板５を透明基板としたが、光透過を要求される基板のみを透明基板としても良い。たとえば、前面側の基板は透明基板とし、背面側の基板は透明基板でも良く不透明基板でも良い。このような条件ならば、本発明は不透明基板を用いた表示装置にも適用できる。
この透明基板は、透明基板の一方の面を不透明（光反射あるいは光り遮断）とした場合のこの基板は、基板内を光が伝搬できるので、本発明の基板内伝搬光を照度検出センサで検出できる。
【００３０】
照度検出センサが検出する光量は照度に比例する必要がある。一方、照度は視感度特性を含んだ値であるので、緑（Ｇ）の成分の影響が赤（Ｒ）、青（Ｂ）に対して大きい。したがって、検出用カラーフィルタ１６に緑色のカラーフィルタを用いることで、照度に比例した検出信号を正確に得ることができる。
【００３１】
また、背面側の透明基板６の部品搭載部６Ａには、その受光部１２ａ側を対向させて照度検出センサである受光素子（すなわち、照射される光の量に応じた電流を発生する素子であって、例えば、フォト・トランジスタやフォト・ダイオード）１２と、バックライト制御装置４とが搭載してあり、この受光素子１２の受光部１２ａと検出窓部１５とは、透明樹脂（エポキシ系樹脂、アクリル系樹脂等）から成る接着部材１３を介して接着してある。
【００３２】
また、前面側の透明基板５より背面側の透明基板６が延出して形成した延出部である部品搭載部６Ａには、図２に示すように駆動ＩＣで構成される駆動回路３と、透明基板５、６のインターフェイスになる、すなわち、液晶セル１外の回路と接続する外部接続回路であるフレキシブルプリント配線板（ＦＰＣ）１４とがそれぞれ実装してあり、このフレキシブルプリント配線板（ＦＰＣ）１４の端部には、駆動回路３を迂回するリード配線部１５が形成してあり、このリード配線部１５に受光素子１２が接続してある。リード配線部１５を用いず、受光素子１２を部品搭載部６Ａの上の配線と接続し、この配線とフレキシブルプリント配線板（ＦＰＣ）１４とを接続してもよく、駆動ＩＣ（駆動回路）を経由してフレキシブルプリント配線板（ＦＰＣ）１４とを接続しても良い。
【００３３】
次に、上記のように構成された表示装置の動作を説明する。
【００３４】
液晶セル１がノーマリブラックの場合、液晶層１１の液晶分子が初期配向状態にあるときに、外光Ｆは、図３に点線で示すように、液晶セル１の前面側の偏光板２３から入射し、前面側の透明基板５と液晶層１１とを透過して散乱反射層９に入射して、この散乱反射層９で反射される。そして、この散乱反射層９により反射された光は、液晶層１１と、前面側の透明基板５とを順に透過して前面側の偏光板２３から出射せず、その光の出射領域、つまり電極７、８間に、駆動回路３の制御によりオフ（ＯＦＦ）電圧が印加された画素領域（液晶分子が初期配向状態にある画素領域）が暗表示になる。
【００３５】
また、駆動回路３の制御により電極７、８間にオン（ＯＮ）電圧が印加され、液晶セル１の前面側の偏光板２３から入射し、前面側の透明基板５と液晶層１１とを透過して散乱反射層９に入射した光が、この散乱反射層９で反射されて液晶層１１と透明基板５と前面側の偏光板２３を通して出射し明表示する。
【００３６】
ここで、液晶セル１の前方から入射した外光Ｆの一部イは、図３に実線で示すように、前面側の透明基板５と電極７の界面ロで反射されて前面側の透明基板５を透過して、この透明基板５と偏光板２３の界面ニで反射され、また、電極７と液晶層１１の界面ハで反射されて電極７と透明基板５と偏光板２３とを透過して、この偏光板２３と空気層との界面ホで反射される。
【００３７】
また、外光Ｆの一部イは、前面側の透明基板５と液晶層１１とを透過して液晶層１１とカラーフィルタ１０の界面ヘで反射され、また、散乱反射層９（ト）で反射される。このように、反射光は各界面ロ、ハ、ニ、ホ、へと散乱反射層９（ト）とで反射され、この反射を繰り返して前面側の透明基板５の内部を伝播し検出窓部１５から出射する。
【００３８】
この場合、出射光は、検出窓部１５に設けた緑色の検出用カラーフィルタ１６で分光されて緑色の単色光になり、接着部材１３を透過して受光素子１２の受光部１２ａに入射する。したがって、この受光素子１２は外光Ｆのうちの緑色の単色光を検出して、この受光量に相当する検出信号を出力する。
【００３９】
前述したように、照度検出センサが検出する光量は照度に比例する必要がある。一方、照度は視感度特性を含んだ値であるので、緑（Ｇ）の成分の影響が赤（Ｒ）、青（Ｂ）に対して大きい。したがって、検出用カラーフィルタ１６に緑色のカラーフィルタを用いることで、照度に比例した検出信号を正確に得ることができる。
【００４０】
すなわち、外光Ｆのうちの緑色の単色光は可視光の内で最も視感特性に合った光（視感度が最も高い）であるために、この緑色光を検出することで、可視光の照度を確実に計ることができる。
【００４１】
上記した本発明における第１の実施の形態によれば、液晶セル１の前方から入射した外光Ｆの一部イが、前面側の透明基板５の内部を、反射を繰り返しながら伝搬し、この前面側の透明基板５の端面部５ａの検出窓部１５に出射した外光は、緑色の検出用カラーフィルタ１６で分光されて緑色の単色光になり、この緑色の単色光を受光素子１２が受光するようになるために、液晶セル１に入射する光量と透明基板５の内部を伝播する光量が略比例することから、液晶セル１に入射する光量を正確に検出することができるばかりか、外光Ｆのうちの緑色光は可視光の内で最も視感特性に合った光（視感度が最も高い）であるために、この緑色光を検出することで、可視光の照度を確実に計ることができる。
【００４２】
しかも、可視光のみを透過させる特別なフィルタを使用することなく、緑色の検出用カラーフィルタ１６にカラーフィルタ１０と同じ緑色のカラーフィルタを使用するために、表示装置のコストを低減させることができる。
【００４３】
なお、上記した本発明における第１の実施の形態では、検出用カラーフィルタとして緑色の検出用カラーフィルタ１６を使用したが、緑色の検出用カラーフィルタ１６に変えて赤色、青色の検出用カラーフィルタを使用するようにしても良い。
【００４４】
また、それぞれの赤、緑、青の各色の検出用カラーフィルタを受光素子１２の前面に配置し、各色の光を受光することにより、さらに、正確な照度のデータを得ることができる。例えば、照度が全体で、緑＋赤＋青＝１００％の時、緑だけなら５０％であるので、緑、赤、青を検出した方が、より正確な照度データは得られる。
【００４５】
（第２の実施の形態）
本発明に係る表示装置における第２の実施の形態を図４乃至図６に示す。
【００４６】
この表示装置は、液晶セル１−１と、この液晶セル１−１の背後に配置されたバックライト３２と、液晶セル１−１の液晶層１１を駆動するための駆動回路３３と、光検知部３４と、バックライト輝度制御手段である制御部４０とを備えており、この制御部４０は、図６に示すようにバックライト３２の光源部３８を制御するための光源駆動制御装置３５と、光検知部３４が検知した検知信号Ｓ１、Ｓ２、Ｓ３に基づいて光源駆動制御装置３５に制御信号Ｓ４を出力するバックライト制御回路３６とを備えている。
【００４７】
液晶セル１−１は、図４に示すように前面側の透明基板５の端面部５ａには３つの検出窓部１５−１、１５−２、１５−３が設けてあり、検出窓部１５−１には赤色の検出用カラーフィルタ１６Ｒが取付けてあり、検出窓部１５−２には緑色の検出用カラーフィルタ１６Ｇが取付けてあり、検出窓部１５−３には青色の検出用カラーフィルタ１６Ｂが取付けてある。これらの赤色、緑色、青色の検出用カラーフィルタ１６Ｒ、１６Ｇ、１６Ｂは、カラーフィルタ１０における緑色、赤色、青色のカラーフィルタと同じものが用いられている。
【００４８】
そして、背面側の透明基板６の部品搭載部６Ａには、駆動回路３３と、光検知部３４を構成する照度検出センサである受光素子１２−１、１２−２、１２−３と、光源駆動制御装置３５とが搭載してあり、受光素子１２−１の受光部１２ａと検出窓部１５−１とは、透明樹脂（エポキシ系樹脂、アクリル系樹脂等）から成る接着部材１３−１を介して接着してあり、受光素子１２−２の受光部１２ａと検出窓部１５−２とは、透明樹脂から成る接着部材１３−２を介して接着してあり、受光素子１２−３の受光部１２ａと検出窓部１５−３とは、透明樹脂から成る接着部材１３−３を介して接着してある。
【００４９】
また、液晶セル１−１の他の構成は、上記した本発明の第１の実施の形態の液晶セル１と同構成にしたものであり、同じ符号を付して説明を省略する。
【００５０】
図６に示すように、バックライト３２は光源部３８を導光部材３９の側面に配置して構成してあり、光源部３８は、赤色ＬＥＤ（赤色発光ダイオード）４１、緑色ＬＥＤ（緑色発光ダイオード）４２、青色ＬＥＤ（青色発光ダイオード）４３の三色のＬＥＤから構成してある。
【００５１】
このように構成されたバックライト３２では、赤色、緑色、青色ＬＥＤ４１、４２、４３から放出された光が混合されて白色光になって、導光部材３９に導入され、その下面（グループ加工面）で上方へ反射されて上面（ホログラム加工面）から液晶セル１−１側へ放出される。
【００５２】
バックライト制御回路３６は、受光素子１２−１、１２−２、１２−３が検出した検出信号Ｓ１、Ｓ２、Ｓ３を入力して、これらの検出信号Ｓ１、Ｓ２、Ｓ３に基づき、光源駆動制御装置３５に制御信号Ｓ４を出力するものである。
【００５３】
次に、バックライト３２の制御方法を説明する。
【００５４】
液晶セル１−１の前方から入射した外光Ｆの一部イは、図５に実線で示すように、前面側の透明基板５と電極７の界面ロで反射されて前面側の透明基板５を透過して、この透明基板５と偏光板２３の界面ニで反射され、また、電極７と液晶層１１の界面ハで反射されて電極７と透明基板５と偏光板２３とを透過して、この偏光板２３と空気層との界面ホで反射される。
【００５５】
また、外光Ｆの一部イは、前面側の透明基板５と液晶層１１とを透過して液晶層１１とカラーフィルタ１０の界面ヘで反射され、また、散乱反射層９（ト）で反射される。このように、反射光は各界面ロ、ハ、ニ、ホ、へと散乱反射層９（ト）とで反射され、この反射を繰り返して前面側の透明基板５の内部を伝播し、検出窓部１５−１、１５−２、１５−３から出射する。
【００５６】
この場合、検出窓部１５−１から出射した出射光は、この検出窓部１５−１に設けた赤色の検出用カラーフィルタ１６Ｒにより分光されて赤色の単色光になり、接着部材１３−１を透過して受光素子１２−１の受光部１２ａに入射する。また、検出窓部１５−２から出射した出射光は、この検出窓部１５−２に設けた緑色の検出用カラーフィルタ１６Ｇにより分光されて緑色の単色光になり、接着部材１３−２を透過して受光素子１２−２の受光部１２ａに入射する。更に、検出窓部１５−３から出射した出射光は、この検出窓部１５−３に設けた青色の検出用カラーフィルタ１６Ｂにより分光されて青色の単色光になり、接着部材１３−３を透過して受光素子１２−３の受光部１２ａに入射する。
【００５７】
したがって、受光素子１２−１は外光Ｆのうちの赤色の単色光を検出して、この受光量に相当する検出信号Ｓ１を出力し、受光素子１２−２は外光Ｆのうちの緑色の単色光を検出して、この受光量に相当する検出信号Ｓ２を出力し、受光素子１２−３は外光Ｆのうちの青色の単色光を検出して、この受光量に相当する検出信号Ｓ３を出力する。
【００５８】
バックライト制御回路３６は、受光素子１２−１、１２−２、１２−３が検出した検出信号Ｓ１、Ｓ２、Ｓ３を入力して、これらの検出信号Ｓ１、Ｓ２、Ｓ３に基づき光源駆動制御装置３５に制御信号Ｓ４を出力する。
【００５９】
したがって、光源駆動制御装置３５により、例えば、赤色、緑色及び青色ＬＥＤ４１、４２、４３へ過電流の印加を防ぎながら発光ダイオードＬＥＤの定格内で駆動できるために信頼性が向上する。
【００６０】
また、光源駆動制御装置３５は、赤色、緑色及び青色ＬＥＤ４１、４２、４３ごとに独立に点灯の制御をする。これらの赤色、緑色及び青色ＬＥＤ４１、４２、４３の色味が変わらないようにリアルタイムで制御することができる。このために、照明光のホワイトバランスの調整が行われて、常に、フルカラー画像のホワイトバランスは適正に維持され、それに伴って画像品質が適正に維持されるようになる。
【００６１】
すなわち、照明光のホワイトバランスが変動すると、各画素における光量バランス（光量の比率）も変動するが、その変動は、光源駆動制御装置３５によって光検知部３４を構成する受光素子１２−１、１２−２、１２−３の検知結果を比較することにより検出され、液晶セル１−１の駆動信号を制御することによって補償される。これにより、フルカラー画像のホワイトバランスは適正な状態に維持される。
【００６２】
上記したように、本発明における第２の実施の形態によれば、赤色、緑色及び青色ＬＥＤ４１、４２、４３の色味が変わらないようにリアルタイムで制御して、照明光のホワイトバランスの調整を実行させる。このことにより、常に、フルカラー画像のホワイトバランスは適正に維持され、それに伴って画像品質が適正に維持されるようになる。
【００６３】
（第３の実施の形態）
本発明に係る表示装置における第３の実施の形態を図７乃至図１０に示す。
【００６４】
この表示装置にあっては、上記した本発明における第２の実施の形態の光検知部３４と制御部４０とをＩＣ化してコントローラＩＣチップ４５とし、このコントローラＩＣチップ４５を液晶セル５１の部品搭載部５Ａに実装するようにしたものである。
【００６５】
すなわち、液晶セル１−２の前面側の透明基板５の、背面側の透明基板６の端辺より延出してよりはみ出した端側部分が部品搭載部５Ａに成されており、この部品搭載部５Ａに、コントローラＩＣチップ４５が実装してある。なお、液晶セル１−２の他の構成は、上記した本発明の第１の実施の形態の液晶セル１と同構成にしたものであり、同じ符号を付して説明を省略する。
【００６６】
コントローラＩＣチップ４５は、図１０に示すように、透明な単層基板４５Ａに、上記した本発明における第２の実施の形態の光検知部３４に相当する光検知部４６と、制御部４０に相当する制御部４０−１を搭載して構成してある。光検出部４６は、照度検出センサである受光素子１２−１、１２−２、１２−３を並べて構成してあり、また、制御部４０―１は、光検知部４６が検知した検知信号を基にバックライト３２の光源部３８を制御するための光源駆動制御装置３５とバックライト制御回路３６とを備えている。また、単層基板４５Ａの下面にはバンプ４７が突設されており、単層基板４２Ａの表面には、入、出力端子４８、４９及び複数の接続端子５０が形成してある。
【００６７】
そして、図９に示すようにコントローラＩＣチップ４５は、その単層基板４２Ａを透明な光硬化性樹脂５２を介して前面側の透明基板５の部品搭載部５Ａ上に実装されていて、バンプ４７は、部品搭載部５Ａ上のＩＴＯ配線ランド（図示せず）上に接続されている。
【００６８】
そして、光検出部４６を構成する受光素子１２−１、１２−２、１２−３と部品搭載部５Ａとの間には赤色、緑色、青色の検出用カラーフィルタ１６Ｒ、１６Ｇ、１６Ｂが介装してあり、受光素子１２−１の受光部１２ａは赤色の検出用カラーフィルタ１６Ｒに対向しており、受光素子１２−２の受光部１２ａは緑色の検出用カラーフィルタ１６Ｇに対向しており、受光素子１２−３の受光部１２ａは青色の検出用カラーフィルタ１６Ｂに対向している。これらの赤色、緑色、青色の検出用カラーフィルタ１６Ｒ、１６Ｇ、１６Ｂは、カラーフィルタ１０における緑色、赤色、青色のカラーフィルタと同じものが用いられていて、可視光のみを透過するものである。また、部品搭載部５Ａの前面には反射膜５１が設けてある。
【００６９】
この場合、液晶セル１の前方から入射した外光Ｆの一部イは、図８に実線で示すように、前面側の透明基板５と電極７の界面ロで反射されて前面側の透明基板５を透過して、この透明基板５と偏光板２３の界面ニで反射され、また、電極７と液晶層１１の界面ハで反射されて電極７と透明基板５と偏光板２３とを透過して、この偏光板２３と空気層との界面ホで反射される。
【００７０】
また、外光Ｆの一部イは、前面側の透明基板５と液晶層１１とを透過して液晶層１１とカラーフィルタ１０の界面ヘで反射され、また、散乱反射層９（ト）で反射される。このように、反射光は各界面ロ、ハ、ニ、ホ、へと散乱反射層９（ト）とで反射され、この反射を繰り返して前面側の透明基板５の内部を伝播する。そして、外光Ｆの一部イは透明基板５の面部５ｄに出射して赤色、緑色、青色の検出用カラーフィルタ１６Ｒ、１６Ｇ、１６Ｂで分光されて赤色、緑色、青色の単色光になり、受光素子１２−１、１２−２、１２−３のそれぞれの受光部１２ａに入射する。
【００７１】
したがって、受光素子１２−１は外光Ｆのうちの赤色の単色光を検出して、この受光量に相当する検出信号Ｓ１を出力し、受光素子１２−２は外光Ｆのうちの緑色の単色光を検出して、この受光量に相当する検出信号Ｓ２を出力し、受光素子１２−３は外光Ｆのうちの青色の単色光を検出して、この受光量に相当する検出信号Ｓ３を出力する。
【００７２】
バックライト制御回路３６は、受光素子１２−１、１２−２、１２−３が検出した検出信号Ｓ１、Ｓ２、Ｓ３を入力して、これらの検出信号Ｓ１、Ｓ２、Ｓ３に基づき、光源駆動制御装置３５に制御信号Ｓ４を出力して、上記した本発明における第２の実施の形態におけるバックライト３２の制御と同じ制御を行い、赤色、緑色及び青色ＬＥＤ４１、４２、４３の色味が変わらないようにリアルタイムで制御する。このために、照明光のホワイトバランスの調整が行われて、常に、フルカラー画像のホワイトバランスは適正に維持され、それに伴って画像品質が適正に維持されるようになる。
【００７３】
上記したように、本発明における第３の実施の形態によれば、それぞれに独立した照度検出センサ（受光素子１２−１、１２−２、１２−３）と制御部４０―１とを一体にＩＣチップ（コントローラＩＣチップ４５）化し、このコントローラＩＣチップ４５を透明基板５の部品搭載部５Ａの面部に配置すると共に、照度検出センサ（受光素子１２−１、１２−２、１２−３）の受光部１２ａに赤色、緑色、青色の検出用カラーフィルタ１６Ｒ、１６Ｇ、１６Ｂを対向配置した構成であるために、照度検出センサ（受光素子１２−１、１２−２、１２−３）による受光と制御部４０―１による制御とが液晶セル１−２内で完結するために正確な制御ができるし、また、小型化が可能になる。
【００７４】
（第４の実施の形態）
本発明に係る表示装置における第４の実施の形態を図１１及び図１２に示す。
【００７５】
この表示装置にあっては、液晶セル１−３の前面側の透明基板５の部品搭載部５Ａの前面に赤色、緑色、青色の検出用カラーフィルタ１６Ｒ、１６Ｇ、１６Ｂが配置してあり、また、部品搭載部５Ａの背面に受光素子１２−１、１２−２、１２−３が実装してある。そして、受光素子１２−１の受光部１２ａは赤色の検出用カラーフィルタ１６Ｒに対向しており、受光素子１２−２の受光部１２ａは緑色の検出用カラーフィルタ１６Ｇに対向しており、受光素子１２−３の受光部１２ａは青色の検出用カラーフィルタ１６Ｂに対向している。
【００７６】
また、液晶セル１−３の他の構成は、上記した本発明における第１の実施の形態の液晶セル１と同構成にしたものであり、同じ符号を付して説明を省略する。
【００７７】
この場合、液晶セル１−３の前方から入射した外光Ｆは、赤色、緑色、青色の検出用カラーフィルタ１６Ｒ、１６Ｇ、１６Ｂで分光されて赤色、緑色、青色の単色光になり、部品搭載部５Ａを透過して受光素子１２−１、１２−２、１２−３の受光部１２ａに入射する。
【００７８】
したがって、受光素子１２−１は外光Ｆのうちの赤色の単色光を検出して、この受光量に相当する検出信号Ｓ１を出力し、受光素子１２−２は外光Ｆのうちの緑色の単色光を検出して、この受光量に相当する検出信号Ｓ２を出力し、受光素子１２−３は外光Ｆのうちの青色の単色光を検出して、この受光量に相当する検出信号Ｓ３を出力する。
【００７９】
受光素子１２−１、１２−２、１２−３が検出した検出信号Ｓ１、Ｓ２、Ｓ３は、例えば、バックライト制御回路３６に入力され、これらの検出信号Ｓ１、Ｓ２、Ｓ３に基づき上記した本発明における第２の実施の形態におけるバックライト３２の光源部３８の制御と同じ制御を行い、赤色、緑色及び青色ＬＥＤ４１、４２、４３の色味が変わらないようにリアルタイムで制御する。
【００８０】
このために、照明光のホワイトバランスの調整が行われて、常に、フルカラー画像のホワイトバランスは適正に維持され、それに伴って画像品質が適正に維持されるようになる。
【００８１】
上記した本発明における第４の実施の形態によれば、液晶セル１の前方から入射した外光Ｆは、赤色、緑色、青色のカラー検出用カラーフィルタ１６Ｒ、１６Ｇ、１６Ｂで分光されて赤色、緑色、青色の単色光になり、前面側の透明基板５の部品搭載部５Ａを透過して受光素子１２−１、１２−２、１２−３の受光部１２ａに入射して、受光素子１２−１は外光Ｆのうちの赤色の単色光を検出して、この受光量に相当する検出信号Ｓ１を出力し、受光素子１２−２は外光Ｆのうちの緑色の単色光を検出して、この受光量に相当する検出信号Ｓ２を出力し、受光素子１２−３は外光Ｆのうちの青色の単色光を検出して、この受光量に相当する検出信号Ｓ３を出力するために、簡単な構成でありながら、確実に、周囲の色味を測定することができる。
【００８２】
（第５の実施の形態）
本発明に係る表示装置における第５の実施の形態を図１３に示す。
【００８３】
本発明における第５の実施の形態では、検出用カラーフィルタ１６にカラーフィルタ１０の延長部を使用するようにしたものである。すなわち、複数の画素領域にそれぞれ対応させて、赤、緑、青の三色のカラーフィルタ１０Ｒ、１０Ｇ、１０Ｂが前面側の透明基板５に配置してあるが、これらの赤、緑、青の三色のカラーフィルタ１０Ｒ、１０Ｇ、１０Ｂを透明基板５に配置する際に、緑色のカラーフィルタ１０Ｇの延長部を、帯状又は照度検出センサである受光素子１２に対応したアイランド状に形成して、これを検出用カラーフィルタ１６にしたものである。
すなわち、六面形状を為す前面側の透明基板５の液晶側の下面に光の波長選択手段の例である検出用カラーフィルタ１６を設け、その近傍であり前記下面と直交する面に照度検出センサである受光素子１２が配設されることで、照度検出センサと透明基板５との間に光の波長選択手段を設けなくて済み、製造工数の削減が得られる効果を有する。照度検出センサの前面に光の波長選択手段を配設するとなると、面を平坦にせねばならず作業工数が多くかかる、塗布の時には塗布された硬化時間がかかり作業工数が多くかかる、等の問題があるが、前記本発明では、このような問題を生じない効果を有する。
【００８４】
また、背面側の透明基板６の部品搭載部６Ａには、その受光部１２ａ側を前面側の透明基板５の端面５ａに対向させて受光素子１２が透明樹脂（エポキシ系樹脂、アクリル系樹脂等）から成る接着部材１３を介して接着してある。なお、液晶セル１−４において、上記した本発明の第２の実施の形態の液晶セル１−１と同構成の部位には、同じ符号を付して説明を省略する。
【００８５】
ここで、液晶セル１−４の前方から入射した外光Ｆの一部イは、図１３に実線で示すように、前面側の透明基板５と電極８の界面ロで反射されて前面側の透明基板５を透過して、この透明基板５と偏光板２３の界面ニで反射され、また、電極８と液晶層１１の界面ハで反射されて電極７と透明基板５と偏光板２３とを透過して、この偏光板２３と空気層との界面ホで反射される。
【００８６】
また、外光Ｆの一部イは、前面側の透明基板５と液晶層１１とを透過して液晶層１１と電極７の界面チで反射され、また、散乱反射層９（ト）で反射される。このように、反射光は各界面ロ、ハ、ニ、ホ、チと散乱反射層９（ト）とで反射され、この反射を繰り返して前面側の透明基板５の内部を伝播し、緑色の検出用カラーフィルタ１６で分光されて緑色の単色光になり、接着部材１３を透過して受光素子１２の受光部１２ａに入射する。したがって、この受光素子１２は外光Ｆのうちの緑色の単色光を検出して、この受光量に相当する検出信号を出力する。
【００８７】
前述したように、照度検出センサが検出する光量は照度に比例する必要がある。一方、照度は視感度特性を含んだ値であるので、緑（Ｇ）の成分の影響が赤（Ｒ）、青（Ｂ）に対して大きい。したがって、検出用カラーフィルタ１６に緑色のカラーフィルタを用いることで、照度に比例した検出信号を正確に得ることができる。
【００８８】
すなわち、外光Ｆのうちの緑色の単色光は可視光の内で最も視感特性に合った光（視感度が最も高い）であるために、この緑色光を検出することで、可視光の照度を確実に計ることができる。
【００８９】
上記した本発明における第５の実施の形態によれば、液晶セル１の前方から入射した外光Ｆの一部イが、前面側の透明基板５の内部を、反射を繰り返しながら伝搬し、緑色の検出用カラーフィルタ１６で分光されて緑色の単色光になり、この前面側の透明基板５の端面部５ａに出射し、この緑色の単色光を受光素子１２が受光するようになるために、液晶セル１に入射する光量と透明基板５の内部を伝播する光量が略比例することから、液晶セル１に入射する光量を正確に検出することができるばかりか、外光Ｆのうちの緑色光は可視光の内で最も視感特性に合った光（視感度が最も高い）であるために、この緑色光を検出することで、可視光の照度を確実に計ることができる。
【００９０】
しかも、可視光のみを透過させる特別なフィルタを使用することなく、緑色の検出用カラーフィルタ１６Ｇに緑色のカラーフィルタ１０と同じ緑色のカラーフィルタを使用するために、検出用カラーフィルタ１６が製作し易く、表示装置のコストを低減させることができる。
【００９１】
なお、上記した本発明における第１の実施の形態では、検出用カラーフィルタとして緑色の検出用カラーフィルタ１６Ｇを使用したが、緑色の検出用カラーフィルタ１６Ｇに変えて赤色、青色の検出用カラーフィルタ１６Ｒ、１６Ｂを使用するようにしても良い。
【００９２】
（第６の実施の形態）
本発明に係る表示装置における第６の実施の形態を図１４に示す。
【００９３】
この表示装置は、検出用カラーフィルタ１６とカラーフィルタ１０と電極８とを背面側の透明基板６に配置したものであって、検出用カラーフィルタ１６にカラーフィルタ１０の延長部を使用するようにしたものである。すなわち、複数の画素領域にそれぞれ対応させて、赤、緑、青の三色のカラーフィルタ１０Ｒ、１０Ｇ、１０Ｂが前面側の透明基板５に配置してあるが、これらの赤、緑、青の三色のカラーフィルタ１０Ｒ、１０Ｇ、１０Ｂを透明基板５に配置する際に、緑色のカラーフィルタ１０Ｇの延長部を、帯状又は照度検出センサである受光素子１２に対応したアイランド状に形成して、これを検出用カラーフィルタ１６にしたものである。
【００９４】
また、背面側の透明基板６の部品搭載部６Ａには、その受光部１２ａ側を前面側の透明基板５の端面５ａに対向させて受光素子１２が透明樹脂（エポキシ系樹脂、アクリル系樹脂等）から成る接着部材１３を介して接着してある。なお、液晶セル１−４の他の構成は、上記した本発明の第１の実施の形態の液晶セル１と同構成にしたものであり、同じ符号を付して説明を省略する。
【００９５】
ここで、液晶セル１−５の前方から入射した外光Ｆの一部イは、図１４に実線で示すように、前面側の透明基板５と電極７の界面ロで反射されて前面側の透明基板５を透過して、この透明基板５と偏光板２３の界面ニで反射され、また、電極７と液晶層１１の界面ハで反射されて電極７と透明基板５と偏光板２３とを透過して、この偏光板２３と空気層との界面ホで反射される。
【００９６】
また、外光Ｆの一部イは、前面側の透明基板５と液晶層１１とを透過して液晶層１１とカラーフィルタ１０の界面ヘで反射され、また、散乱反射層９（ト）で反射される。このように、反射光は各界面ロ、ハ、ニ、ホ、へと散乱反射層９（ト）とで反射され、この反射を繰り返して前面側の透明基板５の内部を伝播し、緑色の検出用カラーフィルタ１６で分光されて緑色の単色光になり、接着部材１３を透過して受光素子１２の受光部１２ａに入射する。したがって、この受光素子１２は外光Ｆのうちの緑色の単色光を検出して、この受光量に相当する検出信号を出力する。
【００９７】
前述したように、照度検出センサが検出する光量は照度に比例する必要がある。一方、照度は視感度特性を含んだ値であるので、緑（Ｇ）の成分の影響が赤（Ｒ）、青（Ｂ）に対して大きい。したがって、検出用カラーフィルタ１６に緑色のカラーフィルタを用いることで、照度に比例した検出信号を正確に得ることができる。
【００９８】
すなわち、外光Ｆのうちの緑色の単色光は可視光の内で最も視感特性に合った光（視感度が最も高い）であるために、この緑色光を検出することで、可視光の照度を確実に計ることができる。
【００９９】
上記した本発明における第６の実施の形態によれば、液晶セル１−５の前方から入射した外光Ｆの一部イが、前面側の透明基板５の内部を、反射を繰り返しながら伝搬し緑色の検出用カラーフィルタ１６で分光されて緑色の単色光になり、この前面側の透明基板５の端面部５ａに出射し、この緑色の単色光を受光素子１２が受光するようになるために、液晶セル１に入射する光量と透明基板５の内部を伝播する光量が略比例することから、液晶セル１に入射する光量を正確に検出することができるばかりか、外光Ｆのうちの緑色光は可視光の内で最も視感特性に合った光（視感度が最も高い）であるために、この緑色光を検出することで、可視光の照度を確実に計ることができる。
【０１００】
しかも、可視光のみを透過させる特別なフィルタを使用することなく、緑色の検出用カラーフィルタ１６にカラーフィルタ１０と同じ緑色のカラーフィルタ１０Ｇを使用するために、検出用カラーフィルタ１６が製作し易く、表示装置のコストを低減させることができる。
【０１０１】
なお、上記した本発明における第６の実施の形態では、検出用カラーフィルタとして緑色の検出用カラーフィルタ１６を使用したが、緑色の検出用カラーフィルタ１６に変えて赤色、青色の検出用カラーフィルタを使用するようにしても良い。
第５と第６の実施の形態においては、検出用カラーフィルタをアインランド状（島状）にしたが、本願発明の効果を得るために他の形状で良く、画像を形成しその画像を看視する領域である画像領域に配設したカラーフィルタを延長して検出用カラーフィルタとして設けても良い。
また、受光素子を赤（Ｒ）、緑（Ｇ）、青（Ｂ）として少なくとも３個用いたときには、受光素子に割り付けられた色に対応してた色のカラーフィルタをその近傍に配設するのがよい。例えば、赤を検出するための受光素子に入る光が、赤色光になるように適宜の場所に赤色のカラーフィルタを配設する。緑、青に関しても同様である。
【０１０２】
また、図１５に示すように、上記した本発明における第１〜第３の実施の形態における光検知部３４（４６）と、液晶セル１ー１（１ー２）を駆動するための駆動回路３３とをそれぞれに独立させた状態でＩＣチップ化して、このＩＣチップ５０、５１を背面側の透明基板６の部品搭載部６Ａに搭載するようにしてもよいし、また、図１６に示すように、上記した本発明における第１〜第３の実施の形態における光検知部３４（４６）と、液晶セル１ー１（１ー２）を駆動するための駆動回路３３とを一体にＩＣチップ化して、このＩＣチップ５２を背面側の透明基板６の部品搭載部６Ａに搭載するようにしてもよい。また、図１７に示すように上記した本発明における第４の実施の形態におけるコントローラＩＣチップ４５と、ＩＣ化した駆動回路３３のＩＣチップ５３とを、背面側の透明基板６の部品搭載部６Ａに搭載するようにしてもよい。
【０１０３】
なお、光検知部２４及びコントローラＩＣチップ４５の光検知部４６には、検出用カラーフィルタを備えているが、必ずしも必要ではない。
【０１０４】
【発明の効果】
以上説明したように、本発明に係る表示装置によれば、液晶セルの前方から入射した外光が、少なくとも一方の透明基板の内部を反射を繰り返しながら伝播し、この透明基板より出射した外光を照度検出センサが受光するようになるために、液晶セルに入射する光量と透明基板の内部を伝播する光量が略比例することから、液晶セルに入射する光量を正確に検出することができる。しかも、検出用カラーフィルタは赤外線をカットするために、この単色光（例えば、緑色光）を検出することで、可視光の照度に比例した検出信号を正確に検出することができる。
【０１０５】
また、本発明に係る表示装置によれば、可視光のみを透過させる特別なフィルタを使用することなく、カラーフィルタと同じ構成の検出用カラーフィルタを使用するために、表示装置のコストを低減させることができる。
【０１０６】
また、本発明に係る表示装置によれば、照明光のホワイトバランスが変動すると、各画素における光量バランス（光量の比率）も変動するが、その変動は、バックライト輝度制御手段によって照度検知センサの検知結果を比較することにより検出され、液晶セルの駆動信号を制御することによって補償される。これにより、フルカラー画像のホワイトバランスは適正な状態に維持される。
【０１０７】
また、本発明に係る表示装置によれば、例えば、光源駆動制御装置により赤色、緑色及び青色の発光ダイオードＬＥＤへ過電流の印加を防ぎながら、発光ダイオードＬＥＤへの定格内での駆動できるために信頼性が向上する。
【０１０８】
また、光源駆動制御装置は、赤色、緑色及び青色の発光ダイオードＬＥＤごとに点灯させ、これらの赤色、緑色及び青色の発光ダイオードＬＥＤの色味が変わらないようにリアルタイムで制御することができる。このために、照明光のホワイトバランスの調整が行われて、常に、フルカラー画像のホワイトバランスは適正に維持され、それに伴って画像品質が適正に維持されるようになる。
【０１０９】
また、本発明に係る表示装置によれば、照度検出センサによる受光とバックライト輝度制御手段による制御とが液晶セル内で完結するために正確な制御ができるし、また、小型化が可能になる。
【０１１０】
また、本発明に係る表示装置によれば、液晶セルの前方から入射した外光は、赤色、緑色、青色の検出用カラーフィルタで分光して、赤色、緑色、青色の単色光とし、これらの単色光を照度検出センサの受光部に入射させて、それぞれの照度検出センサは、外光のうちの赤色光、緑色光、青色光を検出して、これらの受光量に相当する検出信号を出力するために、簡単な構成でありながら、確実に、周囲の色味を測定することができる。
【図面の簡単な説明】
【図１】本発明に係る表示装置の第１の実施の形態の概略的な斜視図である。
【図２】同表示装置の平面図である。
【図３】図２のＵ−Ｕ線に沿う断面図である。
【図４】本発明に係る表示装置の第２の実施の形態の概略的な平面図である。
【図５】図４のＷ−Ｗ線に沿う断面図である。
【図６】同表示装置における制御ブロック図である。
【図７】本発明に係る表示装置の第３の実施の形態の概略的な平面図である。
【図８】図７のＸ−Ｘ線に沿う断面図である。
【図９】図８のＹ部の詳細図である。
【図１０】コントロールＩＣチップの平面図である。
【図１１】本発明に係る表示装置の第４の実施の形態の概略的な平面図である。
【図１２】図１１のＺ−Ｚ線に沿う断面図である。
【図１３】本発明に係る表示装置の第５の実施の形態の概略的な縦断面図である。
【図１４】本発明に係る表示装置の第６の実施の形態の概略的な縦断面図である。
【図１５】本発明に係る表示装置の変形例の概略的な平面図である。
【図１６】本発明に係る表示装置の他の別の変形例の概略的な平面図である。
【図１７】本発明に係る表示装置の他の変形例の概略的な平面図である。
【図１８】従来の表示装置の概略的な斜視図である。
【符号の説明】
１、１−１、１−２、１−３、１−４    液晶セル
２、３２  バックライト
３、３３  駆動回路
４        バックライト制御装置（バックライト輝度制御手段）
５、６      透明基板
５Ａ、６Ａ  部品搭載部
７、８    電極
９        散乱反射層
１０      カラーフィルタ
１０Ｒ    赤色のカラーフィルタ
１０Ｇ    緑色のカラーフィルタ
１０Ｂ    青色のカラーフィルタ
１１      液晶層
１２―１、１２―２、１２―３  受光素子（照度センサ）
１６      検出用カラーフィルタ
１６Ｒ    赤色の検出用カラーフィルタ
１６Ｇ    緑色の検出用カラーフィルタ
１６Ｂ    青色の検出用カラーフィルタ
３４      光検知部
３５      光源駆動制御装置（バックライト輝度制御手段）
３６      動作制御回路（バックライト輝度制御手段）
３８      光源部
３９      導光部材
４０      制御部（バックライト輝度制御手段）
【図１】
2005070132.tif 000003
【図２】
2005070132.tif 000004
【図３】
2005070132.tif 000005
【図４】
2005070132.tif 000006
【図５】
2005070132.tif 000007
【図６】
2005070132.tif 000008
【図７】
2005070132.tif 000009
【図８】
2005070132.tif 000010
【図９】
2005070132.tif 000011
【図１０】
2005070132.tif 000012
【図１１】
2005070132.tif 000013
【図１２】
2005070132.tif 000014
【図１３】
2005070132.tif 000015
【図１４】
2005070132.tif 000016
【図１５】
2005070132.tif 000017
【図１６】
2005070132.tif 000018
【図１７】
2005070132.tif 000019
【図１８】
2005070132.tif 000020